(57)【特許請求の範囲】
【請求項１】
キャビン前面の上部を覆う上ガードと、下部を覆う下ガードを備え、上記上ガードは、キャビンに対し上部及び下部のヒンジにより左右一端側を支点として開閉自在に取付けられ、かつ、この上ガードを上ガード下端部で開き状態に保持するステーが設けられた建設機械の前ガード装置において、上記下部ヒンジが取付けられるブラケットを、上記上ガードの開閉支点側で上記キャビン前面下部または上記下ガードに取付ける一方、上記ステーを上記上ガードに対し、基端側を支点として、上記上ガードを開き状態に保持する張り出し状態と、上ガード閉じ状態で格納される格納状態の間で回動可能に取付け、上記ブラケットに、上記下部ヒンジが取付けられるヒンジ取付部と、上記上ガードの開き時に上ガードに当接して最大開き角度を規制するストッパ部と、上記ステー張り出し状態でステー先端部が係合するステー受け部を一体に設け、上記ストッパ部が上記ヒンジ取付部に対して上記上ガードの開き側に位置し、かつ、上記ステー受け部が上記ヒンジ取付部に対して上記上ガードの閉じ側に位置するように、上記ストッパ部及び上記ステー受け部は上記ヒンジ取付部を挟んで配置されていることを特徴とする建設機械の前ガード装置。
【請求項２】
上記ブラケットを、上記キャビンまたは下ガードに対して着脱可能に取付けたことを特徴とする請求項１記載の建設機械の前ガード装置。
【請求項３】
上記上ガードの下辺部の内側に、上記ステーと、このステーを上記格納位置に保持するステー保持具を設け、ステーを上記上ガード下辺部の内側に下辺部とほぼ平行に格納するように構成したことを特徴とする請求項１または２記載の建設機械の前ガード装置。
【請求項４】
キャビン前面の上部を覆う上ガードと、下部を覆う下ガードを備え、上記上ガードは、キャビンに対し上部及び下部のヒンジにより左右一端側を支点として開閉自在に取付けられ、かつ、この上ガードを上ガード下端部で開き状態に保持するステーが設けられた建設機械の前ガード装置において、上記下部ヒンジが取付けられるブラケットを、上記上ガードの開閉支点側で上記キャビン前面下部または上記下ガードに取付ける一方、上記ステーを上記上ガードに対し、基端側を支点として、上記上ガードを開き状態に保持する張り出し状態と、上ガード閉じ状態で格納される格納状態の間で回動可能に取付け、上記ブラケットに、上記下部ヒンジが取付けられるヒンジ取付部と、上記上ガードの開き時に上ガードに当接して最大開き角度を規制するストッパ部と、上記ステー張り出し状態でステー先端部が係合するステー受け部を一体に設け、上記キャビンの前面に、上記下ガードが取付けられる下ガード取付部材を設け、この下ガード取付部材に上記ブラケットを取付けたことを特徴とする建設機械の前ガード装置。
【発明の詳細な説明】
【技術分野】
【０００１】
本発明はショベル等の建設機械において、キャビン(運転室)の前面を防護する前ガード装置に関するものである。
【背景技術】
【０００２】
たとえばショベルにおいては、キャビンの前面(上下の前窓)を落石等から防護するための前ガード装置がキャビン前面に設けられる。
【０００３】
この前ガード装置は、前面上部(上前窓)を覆う上ガードと、前面下部(下前窓)を覆う下ガードを備えている。
【０００４】
このうち、上ガードは、通常、上窓の清掃等のために左右一端側を支点として開閉自在に枢着されている(特許文献１参照)。
【０００５】
また、上ガードを開いた状態で保持するためのステーが、たとえば上ガードに基端側を支点として回動可能に設けられ、上ガード開き時にこのステーが張り出されて、その先端部が、下ガードに設けられたステー受け部(たとえば穴付きのブラケット)に係合して保持される。
【先行技術文献】
【特許文献】
【０００６】
【特許文献１】特開２００８−２４０６７６号公報
【発明の概要】
【発明が解決しようとする課題】
【０００７】
従来、この上ガード開閉式の前ガード装置において、上ガードに必要な設備、すなわち、上ガードの開閉支点となるヒンジが取付けられるヒンジ取付用ブラケット、上ガードの最大開き角度を一定(たとえばほぼ９０°)に規制するためのストッパ、上ガード開き状態でステーの先端部が係合するステー受け部は、それぞれ独立した別部品としてキャビン前面や上ガードまたは下ガードに分散して設けられている。
【０００８】
このため、部品点数が多くなり、キャビンの組立能率が悪くなってコストアップするとともに、スペースの利用効率が悪いという問題があった。
【０００９】
そこで本発明は、開閉式の上ガードに必要な設備を一つの部品として集約化し、組立能率の向上、コストダウン、占有スペースの縮小を実現することができる建設機械の前ガード装置を提供するものである。
【課題を解決するための手段】
【００１０】
上記課題を解決する手段として、本発明においては、キャビン前面の上部を覆う上ガードと、下部を覆う下ガードを備え、上記上ガードは、キャビンに対し上部及び下部のヒンジにより左右一端側を支点として開閉自在に取付けられ、かつ、この上ガードを上ガード下端部で開き状態に保持するステーが設けられた建設機械の前ガード装置において、上記下部ヒンジが取付けられるブラケットを、上記上ガードの開閉支点側で上記キャビン前面下部または上記下ガードに取付ける一方、上記ステーを上記上ガードに対し、基端側を支点として、上記上ガードを開き状態に保持する張り出し状態と、上ガード閉じ状態で格納される格納状態の間で回動可能に取付け、上記ブラケットに、上記下部ヒンジが取付けられるヒンジ取付部と、上記上ガードの開き時に上ガードに当接して最大開き角度を規制するストッパ部と、上記ステー張り出し状態でステー先端部が係合するステー受け部を一体に設け、上記ストッパ部が上記ヒンジ取付部に対して上記上ガードの開き側に位置し、かつ、上記ステー受け部が上記ヒンジ取付部に対して上記上ガードの閉じ側に位置するように、上記ストッパ部及び上記ステー受け部は上記ヒンジ取付部を挟んで配置されているものである。
【００１１】
この構成によれば、一つのブラケットにヒンジ取付部、ストッパ部、ステー受け部の三者を集約して一体に設けたから、部品点数を節減し、占有スペースを縮小することができる。
【００１２】
本発明において、上記ブラケットを、上記キャビンまたは下ガードに対して着脱可能に取付けるのが望ましい(請求項２)。
【００１３】
この構成によれば、上ガード及びブラケットを取外せば、上ガードの付帯設備一式もキャビン前面から無くなるため、上ガードを取外した状態で作業を行う場合の視界を改善することができる。
【００１４】
また本発明においては、上記上ガードの下辺部の内側に、上記ステーと、このステーを上記格納位置に保持するステー保持具を設け、ステーを上記上ガード下辺部の内側に下辺部とほぼ平行に格納するように構成するのが望ましい(請求項３)。
【００１５】
この構成によれば、ステー及びステー保持具を上ガードの下辺部の裏側という、キャビン内から外を見たときの死角に収めることができるため、作業視界を改善することができる。
【００１６】
また、本発明においては、キャビン前面の上部を覆う上ガードと、下部を覆う下ガードを備え、上記上ガードは、キャビンに対し上部及び下部のヒンジにより左右一端側を支点として開閉自在に取付けられ、かつ、この上ガードを上ガード下端部で開き状態に保持するステーが設けられた建設機械の前ガード装置において、上記下部ヒンジが取付けられるブラケットを、上記上ガードの開閉支点側で上記キャビン前面下部または上記下ガードに取付ける一方、上記ステーを上記上ガードに対し、基端側を支点として、上記上ガードを開き状態に保持する張り出し状態と、上ガード閉じ状態で格納される格納状態の間で回動可能に取付け、上記ブラケットに、上記下部ヒンジが取付けられるヒンジ取付部と、上記上ガードの開き時に上ガードに当接して最大開き角度を規制するストッパ部と、上記ステー張り出し状態でステー先端部が係合するステー受け部を一体に設け、上記キャビンの前面に、上記下ガードが取付けられる下ガード取付部材を設け、この下ガード取付部材に上記ブラケットを取付けたことを特徴とするものである。
【００１７】
この構成によれば、一つのブラケットにヒンジ取付部、ストッパ部、ステー受け部の三者を集約して一体に設けたから、部品点数を節減し、占有スペースを縮小することができる。
【００１８】
さらに、ガード取付構造を簡素化及びコンパクト化することができる。
【発明の効果】
【００１９】
本発明によると、上ガード開閉式の前ガード装置において、組立能率の向上、コストダウン、占有スペースの縮小を実現することができる。
【図面の簡単な説明】
【００２０】
【図１】本発明の実施形態に係る前ガード装置を備えたキャビンの斜視図である。
【図２】同正面図である。
【図３】図２のＩＩＩ−ＩＩＩ線拡大断面図である。
【図４】図３のＩＶ方向から見た側面図である。
【図５】上ガードを開いた状態のキャビン前部の斜視図である。
【図６】同一部拡大水平断面図である。
【図７】上ガードをキャビンから取外した状態の斜視図である。
【図８】下部ブラケットの斜視図である。
【発明を実施するための形態】
【００２１】
キャビン１の前面に上窓１ａ及び下窓１ｂ(図５，７等参照)が設けられ、上窓１ａを覆う上ガード２と、下窓１ｂを覆う下ガード３によって、キャビン前面を落石等から防護するための前ガード装置が構成される。
【００２２】
上下両ガード２，３は、いずれも四角形のフレーム内に縦、横の桟が設けられた格子構造とされている。
【００２３】
このうち下ガード３は、左右両端部がキャビン前面の下部に下ガード取付ブラケット４(図４，７のみに示す)を介して取付けられる。
【００２４】
一方、上ガード２は、上部及び下部のヒンジ５，６により、左右一端側(通常は図示のようにキャビン内から見て右端側で図１〜３，５〜７の左端側。以下、この例で説明する)を支点として開閉自在に取付けられ、図５，６に示すようにこの上ガード２が開かれた状態で上窓１ａの清掃やメンテナンスが行われる。
【００２５】
上部及び下部両ヒンジ５，６のうち、上部ヒンジ５はキャビン前面右側の上端部に上部ブラケット７(図５，７のみに符号を付す)を介して、下部ヒンジ６は同下部に下部ブラケット８を介してそれぞれ着脱自在にボルト止めされ、この両ヒンジ５，６をブラケット７，８から取外すことによって、図７に示すように上ガード２全体をキャビン前面から取外し得るように構成されている。
【００２６】
下部ブラケット８とその周辺の構造を詳述する。
【００２７】
下部ブラケット８は、図８に拡大して示すように、底壁９と後壁１０がＬ字形に連続するとともに、これらの左右方向中間部にヒンジ取付部１１が垂直に設けられて成り、図４に示すように底壁９が、右側の下ガード取付ブラケット４の上面に着脱可能にボルト止めされている。
【００２８】
下部ヒンジ６は、一方のヒンジ片がこの下部ブラケット８のヒンジ取付部１１に着脱可能にボルト止めされ、他方のヒンジ片が上ガード２に溶接(ボルト止めでもよい)されている。
【００２９】
また、後壁１０に、ステー係合穴１２が前後方向に貫通して設けられている。
【００３０】
さらに、底壁９の前端面右側半部にストッパ面１３が設けられ、図６に示すように、上ガード開き時に上ガード基端側の端面がこのストッパ面１３に当たることによって上ガード２の最大開き角度が一定(たとえばほぼ９０°)に規制される。
【００３１】
すなわち、ステー係合穴１２を備えた後壁１０がステー受け部となり、ストッパ面１３を備えた底壁９がストッパ部となっている。
【００３２】
一方、図３，６等に示すように上ガード２の下辺部内側(下窓１ｂに面する側)に、上ガード２を開き状態に保持するステー１４と、ステー１４を格納保持するステー保持具１５が設けられている。
【００３３】
ステー１４は、基端側が上ガード２側に上下軸まわりに回動可能に枢支され、この基端側を支点として、図６に示すように上ガード２を開き状態に保持する張り出し状態と、図３に示すように上ガード閉じ状態で上ガード下辺部に沿って格納される格納状態の間で回動し得るように構成されている。
【００３４】
ステー１４の先端部には、弾性変形可能な鍔状部材１６と、係止プレート１７がステー長さ方向に間隔を置いて設けられ、張り出し状態で鍔状部材１６がステー係合穴１２を貫通して下部ブラケット８の裏側に係止するとともに、係止プレート１７が同ブラケット表側に係止することによってステー１４が張り出し保持される。すなわち、上ガード２が開き状態に保持される。
【００３５】
ステー保持具１５は、板バネによってＵ字形で両翼部が波形に屈曲された形状に形成され、ステー１４の長さ方向中間部がこのステー保持具１５に弾性的に挟み込まれることによって格納保持される。
【００３６】
この状態で、ステー１４は上ガード下辺部の内側に下辺部とほぼ平行(水平)となり、キャビン１内から見たときに、ステー１４及びステー保持具１５が上ガード下辺部という、元々の死角内に収まって視界の妨げとならない。いいかえれば、このような格納状態が得られるように、ステー１４の回動支点、ステー保持具１５の位置、ステー１４の形状等が設定されている。
【００３７】
上記のように、下部ブラケット８にヒンジ取付部１１、ストッパ部(ストッパ面１３を備えた底壁９)、ステー受け部(ステー係合穴１２を備えた後壁１０)の三者を集約して一体に設けたから、部品点数を節減し、占有スペースを縮小することができる。
【００３８】
また、下部ブラケット８を、下ガード取付ブラケット４を介してキャビン１に着脱可能に取付けたから、上ガード２及び下部８ブラケットを取外せば、上ガード２の付帯設備一式もキャビン前面から無くなるため、上ガード２を取外した状態で作業を行う場合の視界を改善することができる。
【００３９】
この場合、ステー１４及びステー保持具１５を上ガード下辺部の内側という、キャビン内から外を見たときの死角に収めることができるため、作業視界を改善することができる。
【００４０】
さらに、キャビン１の前面に、下ガード３が取付けられる下ガード取付ブラケット(下ガード取付部材)４を設け、この下ガード取付ブラケット４に下部ブラケット８を取付けるため、ガード取付構造を簡素化及びコンパクト化することができる。
【００４１】
他の実施形態
(１)  下部ブラケット８のステー受け部として、ステー先端部の鍔状部材１６と係止プレート１７が係合する切欠を設けてもよい。
【００４２】
また、ステー１４の先端部をＬ字形に折り曲げ、ステー張り出し状態でこの折り曲げ部分を下部ブラケット８のステー係合穴または切欠に係合させる構成をとってもよい。
【００４３】
(２)  下部ブラケット８を、下ガード取付ブラケット４とは別のブラケットを介して下ガード３の上辺部に取付けてもよい。
【００４４】
(３)  上ガード２を、キャビン内から見て左端側を支点として開閉自在に取付けてもよい。この場合、下部ブラケット８はキャビン前面または下ガード３の左側端部に取付けられる。
【符号の説明】
【００４５】
１  キャビン
２  上ガード
３  下ガード
４  下ガード取付ブラケット
５  上部ヒンジ
６  下部ヒンジ
８  下部ブラケット
９  下部ブラケットの底壁
１０  同、後壁
１１  同、ヒンジ取付部
１２  同、ステー係合穴
１３  ストッパ面
１４  ステー
１５  ステー保持具
【図１】
0005915248.tif 000002
【図２】
0005915248.tif 000003
【図３】
0005915248.tif 000004
【図４】
0005915248.tif 000005
【図５】
0005915248.tif 000006
【図６】
0005915248.tif 000007
【図７】
0005915248.tif 000008
【図８】
0005915248.tif 000009